【手続補正書】
【提出日】平成15年10月30日(2003.10.30)
【手続補正１】
【補正対象書類名】特許請求の範囲
【補正対象項目名】全文
【補正方法】変更
【補正の内容】
【特許請求の範囲】
【請求項１】
互いに導電的に結合される複数の重ねられた電極と、
互いに導電的に分離された少なくとも第１の重ねられた電極対と第２の重ねられた電極対を含む均一な形状の複数の電極と
を備え、
前記第１の重ねられた電極対は、前記第２の重ねられた電極対よりも大きく、
少なくとも前記第１の重ねられた電極対の各電極は、他から導電的に分離されるように配置され、
前記複数の重ねられた電極のうち任意の１つの電極は、前記複数の電極の任意の１つの電極よりも大きく、
前記第１及び第２の重ねられた電極対は、互いに横方向に向けられシールドされるようにそれぞれ配置されるエネルギコンディショナ。
【請求項２】
互いに導電的に結合された第１のシールド電極、第２のシールド電極、第３のシールド電極を含む複数のシールド電極と、
互いの方向が相補的で対称的に配置された第１の被シールド電極と第２の被シールド電極を含む、少なくとも１つの被シールド電極の対と
を備え、
前記複数のシールド電極は、奇数のシールド電極からなり、
前記第１の被シールド電極は前記第１のシールド電極の上に配置され、前記第２の被シールド電極は前記第１のシールド電極の下に配置され、前記第２のシールド電極は前記第１の被シールド電極の上に配置され、前記第３のシールド電極は前記第２の被シールド電極の下に配置され、
前記１つの被シールド電極対の各被シールド電極は任意の１つのシールド電極より小さく、
前記複数のシールド電極のうち少なくとも１つのシールド電極は電圧バイアスを受け取るように動作可能であるエネルギコンディショナ。
【請求項３】
互いに導電的に結合された第１のシールド側電極、第２のシールド側電極、第３のシールド側電極を含む複数のシールド側電極と、
互いに逆鏡像での方向で配置された第１の電極と第２の電極を含む、少なくとも１つの電極対と
を備え、
前記複数のシールド側電極は奇数のシールド側電極からなり、
前記第１の電極は第１のシールド側電極の上に配置され、前記第２の電極は前記第１のシールド側電極の下に配置され、前記第２のシールド側電極は前記第１の電極の上に配置され、前記第３のシールド側電極は前記第２の電極の下に配置され、
前記少なくとも１つの電極対のうち各電極は、エネルギコンディショナの任意の１つのシールド側電極より小さく、
前記複数のシールド側電極は、互いに、前記少なくとも１つの電極対を少なくともシールドし、
前記複数のシールド側電極と前記少なくとも１つの電極対は環状の形状であるエネルギコンディショナ。
【請求項４】
前記複数の重ねられた電極と前記複数の電極は、少なくとも特性を有する材料によって互いから離れて配置されることを特徴とする請求項１に記載のエネルギコンディショナ。
【請求項５】
前記少なくとも１つの被シールド電極対は、互いに導電的に分離され、
前記少なくとも１つの被シールド電極対と前記複数のシールド電極は、少なくとも特性を有する材料によって互いからそれぞれ離れて配置される請求項２に記載のエネルギコンディショナ。
【請求項６】
前記１つの電極対は互いに導電的に分離され、
前記少なくとも１つの電極対と前記複数のシールド側電極は、少なくとも特性を有する材料によって互いからそれぞれ離れて配置される請求項３に記載のエネルギコンディショナ。
【請求項７】
さらに、少なくとも２つの外側の重ねられた電極によって特徴づけられる請求項１に記載のエネルギコンディショナ。
【請求項８】
さらに、少なくとも２つの外側のシールド電極によって特徴づけられる請求項２に記載のエネルギコンディショナ。
【請求項９】
さらに、少なくとも２つの外側のシールド側電極によって特徴づけられる請求項３に記載のエネルギコンディショナ。
【請求項１０】
互いに導電的に結合された複数の重ねられたシールド側電極と、
第１の複数のコプラナ被シールド側電極と、
第２の複数のコプラナ被シールド側電極と
を備え、
前記第１の複数のコプラナ被シールド電極と前記第２の複数のコプラナ被シールド電極は互いに導電的に分離されるエネルギコンディショナ。
【請求項１１】
前記第１の複数のコプラナ被シールド側電極と前記第２の複数のコプラナ被シールド側電極は、互いから物理的にシールドされる請求項１０に記載のエネルギコンディショナ。
【請求項１２】
前記エネルギコンディショナが少なくともバイパスキャパシタとして動作可能である請求項１から１１のいずれか一項に記載のエネルギコンディショナ。
【請求項１３】
前記エネルギコンディショナが少なくともフィードスルーキャパシタとして動作可能である請求項１から１１のいずれか一項に記載のエネルギコンディショナ。
【請求項１４】
前記エネルギコンディショナが少なくとも分圧器として動作可能である請求項１から１１のいずれか一項に記載のエネルギコンディショナ。
【請求項１５】
前記エネルギコンディショナが、基板、モータ、回路からなる配列要素のグループから選択された配列要素に少なくとも結合される請求項１から１１のいずれか一項に記載のエネルギコンディショナ。
【請求項１６】
前記エネルギコンディショナが、前記エネルギコンディショナ内から近距離場の電気的フラックス（near field electrical flux）の部分が逃げることを防ぐ請求項１から１１のいずれか一項に記載のエネルギコンディショナ。
【請求項１７】
前記エネルギコンディショナが、維持された静電シールド用に使用されるように動作可能である請求項１から１１のいずれか一項に記載のエネルギコンディショナ。
【請求項１８】
前記エネルギコンディショナが環状の形状である請求項１から１１のいずれか一項に記載のエネルギコンディショナ。
【請求項１９】
前記エネルギコンディショナが環状の形状であり、静電シールドのために動作可能である請求項１から１１のいずれか一項に記載のエネルギコンディショナ。
【請求項２０】
前記エネルギコンディショナが環状の形状であり、
前記エネルギコンディショナがさらに、少なくとも１つの導電開口部を備える請求項１から１１のいずれか一項に記載のエネルギコンディショナ。
【請求項２１】
前記エネルギコンディショナの任意の１つの電極が分離電極である請求項１から１１のいずれか一項に記載のエネルギコンディショナ。
【請求項２２】
前記エネルギコンディショナはエネルギが与えられる請求項１から１１のいずれか一項に記載のエネルギコンディショナ。
【請求項２３】
前記エネルギコンディショナはセンサの一部として動作可能である請求項１から１１のいずれか一項に記載のエネルギコンディショナ。
【請求項２４】
前記エネルギコンディショナが演算増幅器の一部として動作可能である請求項１から１１のいずれか一項に記載のエネルギコンディショナ。
【請求項２５】
前記特性を有する材料が、誘電性を有する材料、バリスタ性を有する材料、フェライト性を有する材料からなるグループから選択される請求項４から６のいずれか一項に記載のエネルギコンディショナ。
【請求項２６】
少なくとも４つの端子を含むエネルギコンディショナであって、
（１）重ねられた電極プレートの第１の対と、
（２）重ねられた電極プレートの第２の対とを少なくとも含み、前記重ねられた電極プレートの第１の対は前記重ねられた電極プレートの第２の対から導電的に分離されている第１の複数の電極プレートを備え、
前記重ねられた電極プレートの第１の対のうち第１の電極プレートは、前記重ねられた電極プレートの第１の対のうち第２の電極プレートから導電的に分離され、
前記重ねられた電極プレートの第２の対のうち第１の電極プレートは、前記重ねられた電極プレートの第２の対のうち第２の電極プレートから導電的に分離され、
前記重ねられた電極プレートの第１の対の２つの電極プレートのうち１つと、前記重ねられた電極プレートの第２の対の２つの電極プレートのうち１つは両方とも各々、互いからシールドされ、互いから前記４つの端子のうち異なる１つに導電的に結合される前記エネルギコンディショナ。
【請求項２７】
互いに導電的に結合され、重ねられた第２の複数の電極プレートをさらに備える請求項２６に記載のエネルギコンディショナ。
【請求項２８】
前記第２の複数の電極プレートのプレートの表面積は、前記第１の複数の電極プレートのプレートの表面積より広い請求項２７に記載のエネルギコンディショナ。
【請求項２９】
前記第１の複数の電極プレートのすべての電極プレートは、互いに実質的に同じ形状を有する請求項２６に記載のエネルギコンディショナ。
【請求項３０】
少なくとも４つの端子を含むエネルギコンディショナを形成する（making、作る、作成する、得る）方法であって、
（１）重ねられた電極プレートの第１の対と、
（２）重ねられた電極プレートの第２の対とを少なくとも含み、前記重ねられた電極プレートの第１の対は前記重ねられた電極プレートの第２の対から導電的に分離されている第１の複数の電極プレートを供給するステップを含み、
前記重ねられた電極プレートの第１の対のうち第１の電極プレートは、前記重ねられた電極プレートの第１の対のうち第２の電極プレートから導電的に分離され、
前記重ねられた電極プレートの第２の対のうち第１の電極プレートは、前記重ねられた電極プレートの第２の対のうち第２の電極プレートから導電的に分離され、
前記重ねられた電極プレートの第１の対の２つの電極プレートのうち１つと、前記重ねられた電極プレートの第２の対の２つの電極プレートのうち１つは両方とも各々、互いからシールドされ、互いから前記４つの端子のうち異なる１つに導電的に結合される前記方法。
【請求項３１】
互いに導電的に結合され、重ねられた第２の複数の電極プレートを供給することをさらに含む請求項３０に記載の方法。
【請求項３２】
前記第２の複数の電極プレートのプレートの表面積は、前記第１の複数の電極プレートのプレートの表面積より広い請求項３１に記載の方法。
【請求項３３】
前記第１の複数の電極プレートのすべての電極プレートは、互いに実質的に同じ形状を有する請求項３０に記載の方法。
【請求項３４】
少なくとも４つの端子を含むエネルギコンディショナを使用する方法であって、前記コンディショナは、
（１）重ねられた電極プレートの第１の対と、
（２）重ねられた電極プレートの第２の対とを少なくとも含み、前記重ねられた電極プレートの第１の対は前記重ねられた電極プレートの第２の対から導電的に分離されている第１の複数の電極プレートを備え、
前記重ねられた電極プレートの第１の対のうち第１の電極プレートは、前記重ねられた電極プレートの第１の対のうち第２の電極プレートから導電的に分離され、
前記重ねられた電極プレートの第２の対のうち第１の電極プレートは、前記重ねられた電極プレートの第２の対のうち第２の電極プレートから導電的に分離され、
前記重ねられた電極プレートの第１の対の２つの電極プレートのうち１つと、前記重ねられた電極プレートの第２の対の２つの電極プレートのうち１つは両方とも各々、互いからシールドされ、互いから前記４つの端子のうち異なる１つに導電的に結合されるコンディショナであり、
前記少なくとも４つの端子のうち少なくとも２つを回路に接続する方法。
【請求項３５】
前記コンディショナは、互いに導電的に結合され、重ねられた第２の複数の電極プレートをさらに備える請求項３４に記載の方法。
【請求項３６】
前記第２の複数の電極プレートのプレートの表面積は、前記第１の複数の電極プレートのプレートの表面積より広い請求項３５に記載の方法。
【請求項３７】
前記第１の複数の電極プレートのすべての電極プレートは、互いに実質的に同じ形状を有する請求項３４に記載の方法。